(57)【要約】【課題】天板の側部上方に配置するサイドパネルを備えた机において、サイドパネルの後部の連結構造を簡単化する。【手段】後部連結金具２３は平面視でクランク状に形成されており、後端に係止爪２０が形成されている。係止爪２３ｄは、バックパネル８における縦フレーム１５の係止穴２０に嵌まる。後部連結金具２３はサイドパネル１２の左面と右面とに付け替え可能である。また、係止爪２３ｄは側面視で横向きＴ字形に形成されており、このため、上下にひっくり返してもサイドパネル１３に固定できる。以上により、１種類の後部連結金具２３で、ａサイドパネルを天板の左端部に立設する場合、ｂ天板の右端部に立設する場合、ｃ左右の天板に跨がった状態で立設する場合、のいずれにも対応できる。【選択図】図３
2008073467.tif 000002
【特許請求の範囲】
【請求項１】
天板と、前記天板の側縁の上方に立設した前後長手のサイドパネルと、前記天板の後方又は後端縁に立設されていて前記サイドパネルの後端部が取り付くバック部材とを備えており、
前記サイドパネルの後端部には、後ろ向きに突出した係止爪を有する後部連結金具が取り付けられている一方、前記バック部材には、前記後部連結金具の係止爪が前向き抜け不能に嵌まり得る係止穴が設けられており、更に、前記バック部材の側端面と天板の側端面とは略同じ面を成している、
という机であって、
前記後部連結金具は、平面視で左右にずらしてサイドパネルに取り付けることと、上下姿勢を逆にしてサイドパネルに取り付けることとのうち少なくとも何れか一方が可能になっており、
後部連結金具を左右にずらしてサイドパネルに取り付けることにより、サイドパネルを一つの天板の上方に配置した位置と左右並設された天板に跨がらせた位置とに配置替えすることが許容されており、
後部連結金具を上下逆の姿勢でサイドパネルに付け替えることにより、サイドパネルを一つの天板の左側縁と右側縁とに付け替えることが許容されている、
サイドパネル付き机。
【請求項２】
前記係止爪を側面視で上下対称の略横向きＴ字状の形態と成すことにより、後部連結金具を上下逆にしたいずれの姿勢でもバック部材の係止穴に嵌まり込むことが可能ならしめられている、
請求項１に記載したサイドパネル付き机。
【請求項３】
前記バック部材は天板と略同じ横幅を有するバックパネルであって、前記バックパネルはその左右側部を構成する縦フレームを有しており、この縦フレームに前記係止穴が形成されている一方、
前記サイドパネルは厚さ数ｍｍの半透明又は不透明な樹脂単板からなっており、
更に、前記後部連結金具は金属板製であって、この後部連結金具は、前記サイドパネルの片面に重なる基部と、平面視で基部の後端に連続した横向き折り曲げ部と、前記横向き折り曲げ部の先端から後ろ向きに延びる突出部とを備えた平面視クランク状に形成されており、先端部に上下複数個の係止爪を形成していると共に、
前記後部連結金具は、基部がサイドパネルの一方の面に重なった状態と他方の面に重なった状態とのいずれをも選択してビスでサイドパネルに締結できるようになっており、サイドパネルの一方の面と他方の面とに付け替えることによって係止爪の左右位置をずらしている、
請求項１又は２に記載したサイドパネル付き机。
【請求項４】
前記後部連結金具の係止爪は、係止穴に対して相対的に上向き動させることによって前向き移動不能に保持されており、バック部材はその下方に配置されたフレーム体にファスナーによって上向き移動不能に保持されている、
請求項１〜３のうちのいずれかに記載したサイドパネル付き机。
【発明の詳細な説明】
【技術分野】
【０００１】
本願発明は、天板の側縁にサイドパネル（正確には机上サイドパネル）を立設して成る机に関するものである。
【背景技術】
【０００２】
天板の左又は右若しくは左右両側縁に仕切り用や目隠し用のサイドパネルを立設することは広く行われている。この場合、一般に、天板の後方（又は後端縁）の上方にバックパネル（正確には机上バックパネル）を立設して、バックパネルの側端部とサイドパネルの後端部とを連結している。
【０００３】
また、サイドパネルの構造や素材も様々であり、例えば、木板（合板を含む）の単板構造、金属板（スチール）からなる中空構造のもの、木板又はスチール板とハニカム芯材との積層構造もの、或いは、厚さ数ｍｍで半透明又は不透明な樹脂板（アクリル板）よりなるスクリーンタイプなどがある。
【０００４】
サイドパネルとバックパネルとを連結する方法も様々であり、その一例として特許文献１には、左右に並設した机に跨がった状態でサイドパネルを立設するにおいて、サイドパネルの後端面に、左右の側板を有する平面視コ字状の連結金具を固定し、連結金具の左右側板にそれぞれ側面視下向き鉤状の係止爪を設けて、左の係止爪は左の机のバックパネル（公報の名称はフロントパネル）に形成した係合穴に落とし込み、右の係止爪は右の机のバックパネル（公報の名称はフロントパネル）に形成した係合穴に落とし込むことが記載されている。
【０００５】
この特許文献１では、係止爪を係止穴に嵌め込むワンタッチ的な操作によってサイドパネルをバックパネルに連結できるため、サイドパネルの取り付け作業を能率良く行える利点がある。
【特許文献１】実公平６−４１４６１号公報
【発明の開示】
【発明が解決しようとする課題】
【０００６】
机の配置態様は様々であり、複数の机を左右に並設することには限らず、独立して配置することもあり、また、複数の机を並設した場合、机群の両端に位置した机の一端側部は外部に露出した自由端の状態になっている。
【０００７】
しかるに、特許文献１では、サイドパネルは左右に隣り合った机の天板に跨がった状態の並設仕様でしか配置できないため、独立して使用される机の側端部にサイドパネルを立設する場合や、並設された机群の両端に位置した机の自由端部にサイドパネルを立設する場合のように、サイドパネルを一つの机の側縁に立設する独立仕様には適用できず、従って、独立仕様とする場合は、机の左側縁に設けるための金具と、机の右側縁に設けるための金具とを別に用意せねばならず、このためコストが嵩むと共に部材管理の手間も掛かるという問題があった。
【０００８】
本願発明は、この問題を解消することを課題とするものである。
【課題を解決するための手段】
【０００９】
本願発明の机は、「天板と、前記天板の側縁の上方に立設した前後長手のサイドパネルと、前記天板の後方又は後端縁に立設されていて前記サイドパネルの後端部が取り付くバック部材とを備えており、前記サイドパネルの後端部には、後ろ向きに突出した係止爪を有する後部連結金具が取り付けられている一方、前記バック部材には、前記後部連結金具の係止爪が前向き抜け不能に嵌まり得る係止穴が設けられており、更に、前記バック部材の側端面と天板の側端面とは略同じ面を成している」という基本構成になっている。
【００１０】
そして、請求項１では、「前記後部連結金具は、平面視で左右にずらしてサイドパネルに取り付けることと、上下姿勢を逆にしてサイドパネルに取り付けることとのうち少なくとも何れか一方が可能になっており、後部連結金具を左右にずらしてサイドパネルに取り付けることにより、サイドパネルを一つの天板の上方に配置した位置と左右並設された天板に跨がらせた位置とに配置替えすることが許容されており、後部連結金具を上下逆の姿勢でサイドパネルに付け替えることにより、サイドパネルを一つの天板の左側縁と右側縁とに付け替えることが許容されている」という構成を特徴としている。
【００１１】
請求項２の発明は、請求項１において、前記係止爪を側面視で上下対称の略横向きＴ字状の形態と成すことにより、後部連結金具を上下逆にしたいずれの姿勢でもバック部材の係止穴に嵌まり込むことが可能ならしめられている。
【００１２】
請求項３の発明は、請求項１又は２を更に具体化したもので、まず、前記バック部材は天板と略同じ横幅を有するバックパネルであって、前記バックパネルはその左右側部を構成する縦フレームを有しており、この縦フレームに前記係止穴が形成されている一方、前記サイドパネルは厚さ数ｍｍの半透明又は不透明な樹脂単板からなっている。
【００１３】
更に、前記後部連結金具は金属板製であって、この後部連結金具は、前記サイドパネルの片面に重なる基部と、平面視で基部の後端に連続した横向き折り曲げ部と、前記横向き折り曲げ部の先端から後ろ向きに延びる突出部とを備えた平面視クランク状に形成されており、先端部に上下複数個の係止爪を形成していると共に、前記後部連結金具は、基部がサイドパネルの一方の面に重なった状態と他方の面に重なった状態とのいずれをも選択してビスでサイドパネルに締結できるようになっており、サイドパネルの一方の面と他方の面とに付け替えることによって係止爪の左右位置をずらしている。
【００１４】
請求項４の発明では、請求項１〜３のうちの何れかにおいて、前記後部連結金具の係止爪は、係止穴に対して相対的に上向き動させることによって前向き移動不能に保持されており、バック部材はその下方に配置されたフレーム体にファスナーによって上向き移動不能に保持されている。
【発明の効果】
【００１５】
本願発明によると、後部連結金具はサイドパネルへの取り付け位置を左右にずらすことで、並設仕様と独立仕様とに兼用でき、また、上下姿勢を変えてサイドパネルに取り付けることにより、天板の左端部に配置することと右端部に配置することとの両方に兼用できる。
【００１６】
従って、サイドパネルを左右に並設した机に跨がった状態で配置して並設仕様としたり、一つの机の左又は右の端部に配置して独立仕様としたりするにおいて、後部連結金具は１種類又は２種類のみで足り、その結果、コストダウンと部材管理の手間軽減とを図ることができる。左右にずらしてしかも上下逆の姿勢でサイドパネルに取り付けできる構成を採用すると、後部連結金具は１種類で良いため特に好適である。
【００１７】
請求項２のように係止爪を側面視横向きＴ字状に形成すると、後部連結金具を上下逆の姿勢でサイドパネルに付け替えた状態でバック部材の係止穴に係合させることを簡単に実現できる。
【００１８】
サイドパネルをスクリーンタイプにすると圧迫感を無くしてデザイン的にもすっきりとさせることができるが、スクリーンタイプのサイドパネルは薄いためその後端面に後部連結金具を締結することが困難である。この点、請求項３のように構成すると、後部連結金具の基部をサイドパネルの後端部に簡単に固定できるため、スクリーンタイプのサイドパネルであっても、１種類の後部連結金具を使用して並設仕様と独立仕様とのいずれにも適用できる。
【００１９】
ところで、サイドパネルは人が不用意に持ち上げるなどして上向きの外力が作用することがある。しかして、前記特許文献１では係止爪は下向き鉤状に形成されており、係止爪を係止穴に下向きに落し込むことによって前向き動不能に保持しているため、サイドパネルが上向き動すると係止爪は係止穴から抜け勝手になって、サイドパネルがバック部材から外れ易くなるという問題がある。
【００２０】
これに対して請求項４のように構成すると、サイドパネルが上向き動しても係止爪は係止穴に嵌まった状態が保持されるため、サイドパネルがバック部材から外れ易くなることはない一方、サイドパネルが下向き動することは天板によって阻止されているため、サイドパネルは上下いずれの方向にもずれない状態にしっかりと保持されている。従って、係止爪を係止穴に嵌め込むことによる簡易な取り付け方法でありながら、サイドパネルの後部をバック部材に堅牢な状態で取り付けることができる。
【発明を実施するための最良の形態】
【００２１】
次に、本願発明の実施形態を図面に基づいて説明する。
【００２２】
(1).概要
まず、机の概要を図１に基づいて説明する。図１のうち（Ａ）は前方から見た斜視図、（Ｂ）は裏側から見た斜視図である。この図１から理解できるように、机１は、平面視で矩形（横長長方形）の天板２を備えており、天板２は、左右に配置した脚３又は袖キャビネット４で支持されている。また、脚３又は袖キャビネット４の背面には、机の剛性を確保する強度メンバーとしてのバックフレーム５が重なっている。
【００２３】
机１は互いに連結した状態で並設される多連構造になっており、隣り合った天板２は一つの脚３又は袖キャビネット４に跨がった状態で載っており、かつ、天板２は図示しない金具によって脚３又は袖キャビネット４に固定されている。
【００２４】
バックフレーム５は、縦長の左右サイドメンバー６と、その上端に連結した左右横長のアッパーフレーム７と、アッパーフレーム７よりも下方の部位において左右のサイドメンバー６に連結したパネル体８とを備えている。バックフレーム５は天板２と同じ左右長さに設定されており、隣り合った２つのバックフレーム５は、一つの脚３又は袖キャビネット４に連結されている。天板２を一つの脚３又は袖キャビネット４に連結している状態では、天板２の側縁は脚３又は袖キャビネット４の外面から若干の寸法だけはみ出している。
【００２５】
机１は前後背中合わせの状態に配置して連結することも可能であり、この場合は、前後の机１は一つのバックフレーム５を共用している。既述のように、隣り合った机１は脚３又は袖キャビネット４及びバックフレーム５を兼用しており、従って、任意の数だけ連結することができる。なお、脚３は、中空板状の基部３ａから上アーム３ｂと下アーム３ｃとを前向きに突設したいわゆるＬ脚の形態になっているが、他の形態の脚も採用できることは言うまでもない。
【００２６】
天板２とバックフレーム５との間には、配線用空間９が空いており、この配線用空間９には、着脱自在なカバー１０が配置されている。また、バックレーム５の上面にはバックパネル１１が配置されており、また、天板２の側縁にはサイドパネル１２，１３を立設している。符号１２では薄いスクリーンタイプのサイドパネルを示しており、符号１３では厚肉のサイドパネルを示している。スクリーンタイプのサイドパネル１２はアクリル樹脂等の樹脂板から成っており、厚さは５ｍｍ前後で半透明又は不透明である。
【００２７】
隣り合った机１の間の箇所にサイドパネル１２，１３を配置する場合（並設仕様の場合）は、サイドパネル１２、１３は左右の天板２に跨がった状態に配置されている。また、机群の端部箇所にサイドパネル１２，１３を配置する場合は、サイドパネルは天板２の外側面よりもやや内側に寄った場所に配置している。サイドパネル１２，１３は、その前端部は天板２に前部連結金具にて固定されており、後端部は後部連結金具によってバックパネル１１に固定されている。
【００２８】
本願の請求項及び明細書で「左右」「前後」の文言を使用しているが、この前後・左右はバックパネルと対峙した方向を基準にしている（換言すると、人が椅子に腰掛けて机を使用する状態での当該人を基準にして前後・左右の文言を使用している。）。前後の文言については、バックパネル１１に向かって手前側を前、後ろ側を後という。
【００２９】
天板２が平面視Ｌ形である場合は、２枚のバックパネルが平面視で直交した姿勢に配置されることになるが、この場合は、それぞれのバックパネルを基準にして前後・左右が規定される。
【００３０】
(2).サイドパネルの後部の連結
次に、図２以下の図面を参照してサイドパネル１２，１３の取り付け構造を説明する。まず、スクリーンタイプのサイドパネル１について説明する。図２は一部破断分離側面図、図３（Ａ）は連結した状態での図２の IIIA-IIIA視断面図、（Ｂ）は分離した状態での平断面図、図４のうち（Ａ）は図３（Ａ）の IVA-IVA視断面図、（Ｂ）は連結した状態での図２の IVB-IVB視断面図、図５のうち（Ａ）及び（Ｂ）は他の連結態様を示す一部破断平面図、（Ｃ）はサイドパネル１２の部分平面図である。
【００３１】
図２及び図３から理解できるように、バックパネル１１は、左右に配置された上下長手の縦フレーム１５と、左右縦フレーム１５の上端を繋ぐ上水平フレーム（笠木）１６と、左右縦フレーム１５の下端間を繋ぐ下水平フレーム（巾木）１７とによって正面視矩形の枠組みが構成されており、この枠組みの前後に表面板１８を張っている。図示していないが、前後の表面板１８の間には芯材が介在している（換言すると芯材の表裏に表面板１８を貼っている。）。
【００３２】
図３に示すように、縦フレーム１５は軽金属の押し出し加工品であって中空状に形成されている。縦フレーム１５の上面には上フレーム１６が重なって下面には下フレーム１７が重なっており、上フレーム１６と縦フレーム１５と下フレーム１７とに上方からボルト１９を貫通せしめ、ボルト１９をバックフレーム５のサイドメンバー６にねじ込むことにより、バックパネル１１をバックフレーム５に固定している。従って、バックパネル１１はバックフレーム５に上向き動不能に保持されている。
【００３３】
バックパネル１１を構成する縦フレーム１５は、全体として略横向きＴ字状に形成されていて表面板１８の外側に突出したはみ出し部を有しており、はみ出し部の前後壁に、角形の係止穴２０が上下適宜間隔で多数形成されている。また、縦フレーム１５のうちバックパネル１１の端面を構成する部分には、開口縁に一対の内向きリップを有する蟻溝２１が形成されている。隣り合ったバックパネル１１における縦フレーム１５の蟻溝２１は互いに連通しており、この２つの蟻溝２１に略Ｈ形のエッジ材を上方から嵌め込むことにより、隣り合ったバックパネル１１を連結することができる（エンジ材は遮光機能も有している。）。
【００３４】
図３（Ａ）に示すように、縦フレーム１５は略円形の溝条２２を有しており、この溝条２２には、上フレーム１６及び下フレーム１７を固定するねじがねじ込まれている。サイドパネル１２の後部の下コーナー部は略扇形に切欠かれている。これは配線の邪魔にならないように配慮したものである。
【００３５】
サイドパネル１２は後部連結金具２３によってバックパネル１１の縦フレーム１５に連結されている。後部連結金具２３は、サイドパネル１２の片面に重なる基部２３ａと、基部２３ａの後端に連続した平面視左右横長の折り曲げ部２３ｂと、折り曲げ部２３ｂの先端から後方に延びる突出部２３ｃとを有しており、全体としては平面視でクランク状に形成されており、更に、突出部２３ｃの後端に、バックパネル１１における縦フレーム１５の係止穴２０に嵌まり得る上下２対ずつの係止爪２３ｄが形成されている。
【００３６】
後部連結金具２３の固定手段としては、基部２３ａと反対側からサイドパネル１２に重なる当て板２４と、後部連結金具２３とサイドパネル１２と当て板２４とを一体に締結（共締め）するための雌ねじ筒２５及び雄ねじ２６が用いられている（当て板２４と雌ねじ筒２５と雄ねじ２６も後部連結金具の一部と観念することも可能である。）。雌ねじ筒２５及び雄ねじ２６とも大径の頭を有している。雌ねじ筒２５及び雄ねじ２６は上下対称の２箇所に配置されているが、これら雌ねじ筒２５及び雄ねじ２６の個数はサイドパネル１２の高さ寸法に応じて設定したら良い（いずれの場合も、上下対称の配置態様とすべきである。）。
【００３７】
サイドパネル１２の下端部には、上向きに開口した樋状の樹脂製保護エッジ２７が下方から嵌まっており、サイドパネル１２は保護エッジ２７を介して天板２の上面に載っている。なお、当て板２４を使用せずに後部連結金具２３とサイドパネル１２とをビスで連結することも可能であるが、本実施形態のように当て板２４を使用すると、サイドパネル１２の割れを防止して高い締結強度を確保できる利点がある。また、後部連結金具２３及び当て板２４とも、サイドパネル１２に重なる軟質材製の保護層を形成するなどしても良い。
【００３８】
図４に示すように、係止爪２３ｄは上向きと下向きとの鉤部を有して側面視で略Ｔ字形（或いは茸形）になっている。そして、サイドパネル１２が保護エッジ２７を介して天板２の上面に載った状態で、係止爪２３ｄは係止穴２０に下方から係合している。従って、サイドパネル１２に上向きの外力が作用しても当該サイドパネル１２がバックパネル１１から外れることはない。
【００３９】
サイドパネル１２の取り付け方法としては、バックパネル１１をバックフレーム５の上方に若干浮かした状態で係止穴２０と係止爪２３ｄとを嵌め合わせ、次いで、バックパネル１１をバックフレーム５の上面に重ねてボルト１９を締め込んで、バックパネル１１をバックフレーム５に締結することになる。
【００４０】
図２に示すように、後部連結金具２３における上下の２個ずつの係止爪２３ｄの上下間隔は同じ寸法Ｌ１になっており、また、上端の係止爪２３ｄから後部連結金具２３の上端までの寸法と上端の係止爪２３ｄと後部連結金具２３の下端までの寸法とは同じ寸法Ｌ２に設定している。従って、後部連結金具２３は上下姿勢を逆にしてもサイドパネル１２に取り付けることができる。
【００４１】
図３ではサイドパネル１２は左右に並設した天板２に跨がった状態で配置されている。換言すると、左右の机１で１枚のサイドパネル１２を共用している。そして、この状態では、後部連結金具２３は、その折り曲げ部２３をサイドパネル１２の後端面に重ねた状態でサイドパネル１２に取り付けられており、サイドパネル１２の係止爪２３ｄは、互いに密着した縦フレーム１５のうち一方の縦フレーム１５の係止穴２０に係合している（図３では係止爪２３ｄは右側の縦フレーム１５の係止穴２０に嵌まっているが、左側の縦フレーム１５の係止穴２０に嵌めても良い。）。
【００４２】
図５（Ａ）では、サイドパネル１２はその全体が天板２の右端部の上方に配置されている。この状態では、後部連結金具２３はサイドパネル１２の右面に締結されている。他方、図５（Ｂ）では、サイドパネル１２はその全体が天板２の左端部の上方に配置されており、この状態では、後部連結金具２３は、図３及び図５（Ａ）とは上下逆にしてサイドパネル１２の左面に締結されている。
【００４３】
図５（Ａ）（Ｂ）のようにサイドパネル１２を天板２の内側に配置している状態では、サイドパネル１２は、天板２の右又は左の端面からある程度の寸法Ｌ３だけ内側に入り込んでいる（これは、図７（Ｂ）に示すように、前部連結金具（詳細は後述）の取り付け代を確保するためである。）。
【００４４】
図５（Ｃ）に示すように、後部連結金具２３における横長部２３ｂの幅寸法（換言すると、突出部２３ｃが基部２３ａからずれた寸法）Ｌ４は、サイドパネル１２の板厚ｔに後部連結金具２３の板厚を足した寸法になっている。従って、後部連結金具２３をサイドパネル１２の一方の面と他方の面とに付け替えることにより、係止爪２３ｄは、サイドパネル１２の厚さｔと後部連結金具２３の板厚とを足した寸法だけ左右方向にずれることになる。
【００４５】
後部連結金具２３の突出部２３ｂには、バックパネル１１における表面板１８の端面に当たり得る軟質板２８が貼られている。軟質板２８は例えばゴム製で片面に粘着層を設けており、サイドパネル１２への後部連結金具２３の取り付け態様に応じて、突出部２３ｃの左右いずれの面にも貼り替えることができる。軟質板２８の存在により、係止爪２３ｄをガタ付きのない状態で係止穴２０に嵌め込むことができるため、サイドパネル１２のガタ付きも防止できる。
【００４６】
後部連結金具２３を上下逆の姿勢に付け替えできるようにするための手段としては、後部連結金具２３及びサイドパネル１２の取り付け穴を上下対称に形成することと、係止爪２３ｄを上下対称に配置することとが満たされておれば良い。従って、例えば係止爪２３ｄは、上下中間部とこれを挟んだ上下等距離の部位との３箇所に設けるなどしても良い（但し、係止穴２０は常に係止爪２３ｄが嵌まるようにピッチを設定しておく必要がある。）。
【００４７】
(3).サイドパネルの前部の連結
次に、図６及び図７を参照してサイドパネル１２の前部の取り付け構造を説明する。図６は分離斜視図、図７のうち（Ａ）は右側面図、（Ｂ）は（Ａ）のＢ−Ｂ視断面図、（Ｃ）は（Ａ）のＣ−Ｃ視分離断面図である。
【００４８】
サイドパネル１２の前部は、前部連結金具２９によって天板２に固定されている。前部連結金具２９は、天板２に前方から被さる状態で嵌まる側面視コ字状のクランプ体３０と、クランプ体３０の下水平部３０ａに下方から被さる状態で嵌まる正面視上向き開口コ字状の押さえ部材３１と、押さえ部材３１を貫通してクランプ体３０の下水平部３０ａに下方からねじ込まれるビス３２とによって構成されており、ビス３２をねじ込むと押さえ部材３１が天板２の下面に突っ張り、すると、クランプ体３０の下水平部３０ａが天板２の上面に強く押圧され、これにより、クランプ体３０は天板２に固定される。
【００４９】
そして、クランプ体３０の上水平部３０ｂには、サイドパネル１２の前端部でかつ下部が嵌まり込む左右の挟持体３３が溶接によって固着されており、挟持体３３とサイドパネル１２とは、雌ねじ筒２５及び雄ねじ２６で一体に共締めされている。雌ねじ筒２５及び雄ねじ２６を使用することに代えて、ナットとビスとを使用することも可能である。左右の挟持体３３は下部において一体に繋がっている。
【００５０】
クランプ体３０の挟持体３３は、平面視コ字状の樹脂製カバー３４で覆われている。挟持体３３の前後両端部には外側に広がった張り出し部３３ａが形成されており、張り出し部３３ａの上下中途部に切り開き溝３５を形成している一方、カバー３４には、張り出し部３３ａを弾性的に挟持する一対の挟持片３６を設けている（挟持片に代えて係合爪を採用しても良い。）。
【００５１】
サイドパネル１２の下部に嵌まる保護エッジ２７は図７（Ｃ）に示す断面形状になっている。すなわち、保護エッジ２７の内側面には凹所３７が形成されており、凹所３７の上端部に斜め下向き軟質ヒレ片３８が共押し出し法によって一体に形成されている。サイドパネル１２を嵌め込むとヒレ片３８は凹所３７に入り込み、これにより、サイドパネル１２は保護エッジ２７に対しクッション性を保持した状態でガタ付き不能に嵌まっている。
【００５２】
(4).厚肉状サイドパネルの取り付け構造
次に、積層構造で厚いサイドパネル１３の取り付け構造を図８及び図９に基づいて説明する。図８はサイドパネル１３の後部の連結構造を示す平断面図で、（Ａ）はサイドパネル１３を左右天板２に跨がらせて配置した状態での断面図、（Ｂ）は独立仕様での後部連結金具２３の連結構造を示す図であり、図９はサイドパネル１３き前後の連結構造を示す一部破断側面図である。
【００５３】
厚肉のサイドパネル１３は、芯材（図示せず）とその表裏両側に張った表面材４０とで積層構造になっており、その前後両端部には縦枠材４１が嵌め込み装着されている。縦枠材４１は、基本的にはバックパネル１１の縦フレーム１５と類似しており、表面板４０の前後両側に突出したはみ出し部４１ａを有しており、はみ出し部４１ａの左右中心部には蟻溝４２が上下全長にわたって形成されている。
【００５４】
そして、後部の縦枠材４１におけるはみ出し部４１ａの後面に平面視Ｌ形の後部連結金具４３をビス４４によって固定している。後部連結金具４３の突出部４３ａには、スクリーンタイプサイドパネル１２の連結用後部連結金具２３と同様に、上下２対の係止爪４３ｂが形成されている。
【００５５】
そして、後部の縦枠材４１におけるはみ出し部４１ａの後面には、後部連結金具４３を締結するための雌ねじ穴４５が蟻溝４２を挟んで左右に振り分けた状態で形成されており、このため、後部連結金具４３は、図８に示すように、突出部４３ａがサイドパネル１３の外側面からややはみ出た状態にして縦枠材４１に取り付けることができ、これによって独立仕様に態様できる。雌ねじ穴４５は上下対称に配置されている。
【００５６】
サイドパネル１３の前部を天板２に固定する手段としては、側面視コ字状の前部連結金具４６が使用されている。前部連結金具４６の上部にはサイドパネル１３の内部に左右ずれ不能に嵌まり込む上向き突部４６ａが形成されており、この上向き突部４６ａに、サイドパネル１３の笠木４７と前部縦枠材４１と巾木４８とを貫通したボルト４９をねじ込んでいる。ボルト４９をねじ込むと、巾木４８の左右両端部を天板２の上面にあてた状態で前部連結金具２９が上向きに引きつけられ、これによってサイドパネル１３の前部は天板２に対して強固に固定される。
【００５７】
(5).その他
本願発明は上記の実施形態の他にも様々に具体化できる。例えば、バック部材は必ずしもバックパネルには限らないのであり、例えば、天板の後方に左右の支柱を立設し、この支柱にサイドパネルを連結することも可能である（この場合、左右の支柱にパネルを着脱自在に取り付けるのが好ましい。）。
【００５８】
また、バックパネル等のバック部材は必ずしもバックフレームに取り付ける必要はなく、例えば脚の後部や天板に固定することも可能である。サイドパネルは全体として板状である必要はなく、例えば左右に開口した枠材に布類を張った構造にするといったことも可能である。
【００５９】
本願発明は実施形態のように脚等の支持手段を兼用して連増しするタイプの机のみでなく、各机が独立して自立できるものにも適用できる。また、明細書及び図面では様々の利点を開示しているが、これらは独立した発明たり得るものである。
【図面の簡単な説明】
【００６０】
【図１】机の斜視図である。
【図２】スクリーンタイプのサイドパネルの後部の連結構造を示す一部破断分離側面図である。
【図３】（Ａ）は連結した状態での図２の IIIA-IIIA視断面図、（Ｂ）は分離した状態での平断面図である。
【図４】（Ａ）は図３（Ａ）の IVA-IVA視断面図、（Ｂ）は連結した状態での図２の IVB-IVB視断面図図である。
【図５】（Ａ）及び（Ｂ）は他の連結態様を示す一部破断平面図、（Ｂ）はサイドパネル１２の部分平面図である。
【図６】スクリーンタイプのサイドパネルの前部の取り付け構造を示す分離斜視図である。
【図７】（Ａ）はサイドパネルの前部の取り付け構造を示す右側面図、（Ｂ）は（Ａ）のＢ−Ｂ視断面図、（Ｃ）は（Ａ）のＣ−Ｃ視分離断面図である。
【図８】積層タイプのサイドパネルの後部の連結構造を示す図である。
【図９】積層タイプのサイドパネルの前部の連結構造を示す一部破断側面図である。
【符号の説明】
【００６１】
１  机
２  天板
５  バックフレーム
８  バック部材の一例としてのバックパネル
１２  スクリーンタイプのサイドパネル
１３  厚肉タイプのサイドパネル
１５  バックパネルの縦フレーム
２０  係止穴
２３  スクリーンタイプのサイドパネル用の後部連結金具
２３ｄ  係止爪
２４  当て板
２５  雌ねじ筒
２６  雄ねじ
２９  スクリーンタイプのサイドパネル用の前部連結金具
３０  クランプ体
３１  押さえ部材
３２  ビス
３４  カバー
【図１】
2008073467.tif 000003
【図２】
2008073467.tif 000004
【図３】
2008073467.tif 000005
【図４】
2008073467.tif 000006
【図５】
2008073467.tif 000007
【図６】
2008073467.tif 000008
【図７】
2008073467.tif 000009
【図８】
2008073467.tif 000010
【図９】
2008073467.tif 000011